(57)【特許請求の範囲】
【請求項１】
プライマリキャリアとセカンダリキャリアとを含む複数の無線周波数（ＲＦ）キャリアを受信する方法であって、
複数の無線周波数（ＲＦ）キャリアを受信可能でかつ第１の無線受信機構成と第２の無線受信機構成とを備える無線ノードにおいて、セルにおいて共通チャネルが前記セカンダリキャリアで送信されている場合に、前記セカンダリキャリアで第１のチャネル情報を受信するために前記第１の無線受信機構成を動的にまたは準静的に選択し、前記共通チャネルが前記セカンダリキャリアで送信されていない場合に、前記セカンダリキャリアで前記第１のチャネル情報を受信するために前記第２の無線受信機構成を選択するステップ
を有し、
前記第１の無線受信機構成は、当該第１の無線受信機構成における無線受信機がセル間干渉を除去する構成であり、
前記第２の無線受信機構成は、当該第２の無線受信機構成における無線受信機がセル間干渉を除去しない構成であることを特徴とする方法。
【請求項２】
前記無線ノードは、前記プライマリキャリアで受信した情報を使用して、前記共通チャネルが前記セカンダリキャリアで送信されているかどうかを判定することを特徴とする請求項１に記載の方法。
【請求項３】
前記無線ノードは、前記セカンダリキャリアでセルサーチを実行することによって、前記共通チャネルが前記セカンダリキャリアで送信されているかどうかを判定することを特徴とする請求項１に記載の方法。
【請求項４】
前記無線ノードは、在圏セルによって前記プライマリキャリアで送信されている明示的なシグナリングまたは情報に基づいて、前記共通チャネルが前記セカンダリキャリアで送信されているかどうかを判定することを特徴とする請求項１に記載の方法。
【請求項５】
前記無線ノードは、前記プライマリキャリアで在圏セルに関連付けられているタイミングおよびチャネル電力の情報を使用して、前記共通チャネルが前記セカンダリキャリアで送信されているかどうかを判定することを特徴とする請求項１に記載の方法。
【請求項６】
前記チャネル電力の情報には、前記プライマリキャリアでの、推定された共通チャネル電力遅延プロファイルが含まれていることを特徴とする請求項５に記載の方法。
【請求項７】
前記セカンダリキャリアと１つ以上の同期符号との相関を求めることで、前記共通チャネルが前記セカンダリキャリアで送信されているかどうかを判定するステップ
をさらに有することを特徴とする請求項１に記載の方法。
【請求項８】
前記共通チャネルは、同期チャネルであることを特徴とする請求項１ないし７のいずれか１項に記載の方法。
【請求項９】
前記第１の無線受信機構成と前記第２の無線受信機構成との双方における前記無線受信機はそれぞれ、セル内干渉を除去することを特徴とする請求項１ないし８のいずれか１項に記載の方法。
【請求項１０】
複数のセカンダリキャリアが存在することを特徴とする請求項１ないし９のいずれか１項に記載の方法。
【請求項１１】
無線ノードにおいて、プライマリキャリアとセカンダリキャリアとを含む複数の無線周波数（ＲＦ）キャリアを受信するために使用される装置であって、
第１の無線受信機構成と第２の無線受信機構成とを備え、複数の無線周波数（ＲＦ）キャリアを受信する受信回路と、
セルにおいて共通チャネルが前記セカンダリキャリアで送信されている場合に、前記セカンダリキャリアで第１のチャネル情報を受信するために前記第１の無線受信機構成を動的にまたは準静的に選択し、前記共通チャネルが前記セカンダリキャリアで送信されていない場合に、前記セカンダリキャリアで前記第１のチャネル情報を受信するために前記第２の無線受信機構成を選択する電子回路と
を有し、
前記第１の無線受信機構成は、当該第１の無線受信機構成における無線受信機がセル間干渉を除去する構成であり、
前記第２の無線受信機構成は、当該第２の無線受信機構成における無線受信機がセル間干渉を除去しない構成であることを特徴とする装置。
【請求項１２】
前記電子回路は、前記セカンダリキャリアでセルサーチを実行することによって、前記共通チャネルが前記セカンダリキャリアで送信されているかどうかを判定することを特徴とする請求項１１に記載の装置。
【請求項１３】
前記電子回路は、前記プライマリキャリアで受信した情報を使用して、前記共通チャネルが前記セカンダリキャリアで送信されているかどうかを判定することを特徴とする請求項１１に記載の装置。
【請求項１４】
前記電子回路は、前記プライマリキャリアで在圏セルに関連付けられているタイミングおよびチャネル電力の情報を使用して、前記共通チャネルが前記セカンダリキャリアで送信されているかどうかを判定することを特徴とする請求項１３に記載の装置。
【請求項１５】
前記チャネル電力の情報には、前記プライマリキャリアでの、推定された共通チャネル電力遅延プロファイルが含まれていることを特徴とする請求項１４に記載の装置。
【請求項１６】
前記無線ノードは、在圏セルによって前記プライマリキャリアで送信されている明示的なシグナリングまたは情報に基づいて、前記共通チャネルが前記セカンダリキャリアで送信されているかどうかを判定することを特徴とする請求項１１に記載の装置。
【請求項１７】
前記電子回路は、前記セカンダリキャリアと１つ以上の同期符号との相関を求める相関器を有していることを特徴とする請求項１１ないし１６のいずれか１項に記載の装置。
【請求項１８】
前記共通チャネルは、同期チャネルであることを特徴とする請求項１１ないし１７のいずれか１項に記載の装置。
【請求項１９】
前記第１の無線受信機構成と前記第２の無線受信機構成との双方における前記無線受信機はそれぞれ、セル内干渉を除去することを特徴とする請求項１１ないし１８のいずれか１項に記載の装置。
【発明の詳細な説明】
【技術分野】
【０００１】
本発明の技術分野は、無線通信システムに関する。また、さらに詳細には、マルチキャリア受信機に関する。
【背景技術】
【０００２】
セルラネットワークを通してパケットデータをより高いビットレートおよびより高い効率で伝送を行うことに対する増大する需要に対処すべく、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）の第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）のリリース５は、高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）を加えてＷＣＤＭＡ仕様を拡張し、またリリース６では、拡張個別チャネル（Ｅ−ＤＣＨ：Ｅｎｈａｎｃｅｄ  Ｄｅｄｉｃａｔｅｄ  Ｃｈａｎｎｅｌ）を導入した。これは、しばしば、拡張アップリンク（ＥＵＬ：Ｅｎｈａｎｃｅｄ  Ｕｐｌｉｎｋ）または高速アップリンクパケットアクセス（ＨＳＵＰＡ：Ｈｉｇｈ  Ｓｐｅｅｄ  Ｕｐｌｉｎｋ  Ｐａｃｋｅｔ  Ａｃｃｅｓｓ）と呼ばれる。ＨＳＤＰＡおよびＨＳＵＰＡは、共に、高速パケットアクセス（ＨＳＰＡ：Ｈｉｇｈ  Ｓｐｅｅｄ  Ｐａｃｋｅｔ  Ａｃｃｅｓｓ）と呼ばれ、これらは、エアインタフェースを通して達成可能なビットレートを大幅に改善するものである。３ＧＰＰリリース７は、達成可能なビットレートをさらに改善するために、ＨＳＤＰＡに対して高次変調と多入力多出力（ＭＩＭＯ：ｍｕｌｔｉｐｌｅ  ｉｎｐｕｔ  ｍｕｌｔｉｐｌｅ  ｏｕｔｐｕｔ）とを導入した。
【０００３】
同様に、マルチキャリア（ＭＣ）システムの第１の目標は、高いデータレートを達成することである。周波数分割複信（ＦＤＤ）におけるマルチキャリア構成は、一組のアップリンクキャリアにリンクした一組のダウンリンクキャリアであると説明することができる。ダウンリンクキャリアは、周波数領域において隣接していてもよいし、または隣接していなくてもよい。また、同じことがアップリンクキャリアについても当てはまる。マルチキャリア構成はまた、時間分割複信（ＴＤＤ）システムの中でも使用することができる。マルチキャリアシステムにおけるコンポーネント（要素）キャリアは、異なる周波数帯域に属することもできる。１つの例として、複数の５ＭＨｚキャリア周波数の上で動作するＷＣＤＭＡ／ＨＳＰＡは、マルチキャリアＷＣＤＭＡまたはマルチキャリアＨＳＰＡと呼ばれる。発展型汎用移動通信システム地上無線アクセスネットワーク（Ｅ−ＵＴＲＡＮ：Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ）システムでは、複数の要素キャリア（ダウンリンクにおける４つの２０ＭＨｚキャリア、およびアップリンクにおける２つの２０ＭＨｚキャリア（ＦＤＤに対して）等）を使用してデータレートを向上させることができる。従って、マルチキャリアシステムでは、ダウンリンクおよび／またはアップリンクの中で、２つ以上のキャリアが使用される。マルチキャリアの内の１つは、プライマリキャリアまたはアンカーキャリアと呼ばれ、残りの１つまたは複数のキャリアは、セカンダリキャリアまたは補足キャリアと呼ばれる。
【０００４】
アンカーキャリアは、全ての共通制御チャネルを含め、全ての物理チャネルを含む。セカンダリキャリアは、全ての物理チャネルを含んでもよいし、または含まなくてもよい。例えば、セカンダリキャリアは、共通ダウンリンク制御チャネルの内のいくつかを含んでいなくてもよい。ダウンリンクにおけるアンカーキャリア、およびアップリンクにおけるアンカーキャリア（すなわち、アップリンクに２つ以上のキャリアが存在する場合）は、単一のキャリアに基づいた旧来の動作をサポートしなければならない。これは、ダウンリンクのアンカーキャリアは、旧来の単一キャリアＵＥがサービスを受けられるように、全ての共通チャネルを含まなければならないということを意味している。マルチキャリアＵＥもまた、フレームタイミング、近隣セル測定等を捕捉するために、全ての共通制御チャネルを送信するアンカーキャリアを必要とする。いずれの単一キャリアシステムも、マルチキャリアシステムに進展させてデータレートを増加させることができる。ＨＳＰＡ、Ｅ−ＵＴＲＡＮ、および他のシステムの将来の進歩は、アップリンクおよびダウンリンクの両方に対して、複数キャリア（例えば、４つのダウンリンクキャリアおよび２つのアップリンクキャリア）になる可能性が高いと考えられる。
【発明の概要】
【発明が解決しようとする課題】
【０００５】
異なるタイプの受信機が存在する。いくつかのタイプは、マルチキャリア送信を受信することができる。また他のいくつかのタイプはそれができない。いくつかの受信機は、干渉除去能力を有し、またいくつかの受信機にはそれがない。干渉除去能力を確かに有する受信機に対しても、それらの能力には差がある。例えば、１つのタイプの受信機は、セル間干渉の除去に特化して可能であるとしても、別のタイプの受信機ではそれができない。セル間干渉は、近隣セルから送信される信号によって引き起こされる。
【０００６】
マルチキャリアシステムにおいては、アンカーキャリア／プライマリキャリアは、全ての共通チャネルを含むが、ネットワークの実施形態によっては、共通制御チャネルの内のいくつかは、セカンダリキャリアの上で送信されないこともある。同期チャネル等の共通制御チャネルがセカンダリキャリアの上にないことによって、受信機におけるセル間干渉除去の複雑さが増加する。例えば、ＷＣＤＭＡタイプのシステムにおいて、セル間干渉除去受信機を持つマルチキャリアＵＥが、干渉を与えている近隣セルのスクランブリング符号グループを識別するために、このようなセカンダリ同期チャネル（Ｓ−ＳＣＨ：ｓｅｃｏｎｄａｒｙ  ｓｙｎｃｈｒｏｚａｔｉｏｎ  ｃｈａｎｎｅｌ）を使用することができないと仮定してみる。干渉を与えている近隣セルによって引き起こされるセル間干渉を、ＵＥ受信機が除去するためには、ＵＥ受信機は、干渉を与えているそれぞれのセルからの干渉信号のチャネルインパルス応答を判定しなければならない。この判定を実行するためには、ＵＥには、各近隣セルの中のマスタタイミング、およびそれらの近隣セルの中で使用されているスクランブリング符号に関する情報が必要である。セカンダリキャリアの上に同期信号が存在しない場合には、ＵＥは、広く探索して、近隣セルの中で使用されているスクランブリング符号を判定しなければならないであろう。これは、ＵＥ電力を浪費させて、同期処理を遅くすることになる。
【０００７】
この問題に対する１つの手法としては、マルチキャリアシステムにおいて、ＵＥが、プライマリアンカーキャリアの上でだけセル間干渉除去が可能であり、セカンダリキャリアの上では可能でないように、事前に規定することもあり得るかも知れない。しかし、この手法は、セカンダリキャリアの上での動作性能を低下させることに繋がる。これは、セカンダリキャリアの上では、セル間干渉除去能力のない受信機構成だけが使用される可能性があるからである。複数のセカンダリキャリアが存在する場合には、動作性能の低下が、さらに大きなものになるであろう。
【０００８】
別の手法は、何かの種類のシグナリング（例えば、無線リソース制御（ＲＲＣ：Ｒａｄｉｏ  Ｒｅｓｏｕｒｃｅ  Ｃｏｎｔｒｏｌ）シグナリング）を介して、近隣セルがセカンダリキャリアの上で使用しているスクランブリング符号のリストをシグナリングすることである。しかしこれは、シグナリングオーバヘッドを増加させ、旧来の端末および３ＧＰＰ等の旧来の様式の仕様に含めることは困難である。さらに、近隣セル測定は、アンカーキャリアに属するセルに対して行われ、これは、第２のキャリアに属するセルに対する追加的な近隣セルリストのシグナリング（信号による伝達）は、セカンダリキャリアの上のセル間干渉除去受信機の動作を支援することになるだけであろうということを意味する。セル間干渉受信機だけに対して近隣セルリストを得るための、この特別に余分なネットワーク計画の作業は、正当化されない可能性があり、従って、この特別に余分な作業は、回避されることが望ましい。
【０００９】
要約すれば、ネットワークを実施する際には、共通チャネル（例えば、ＳＣＨ）の全て、またはそのサブセットのどちらが、マルチキャリアシステムにおけるセカンダリキャリアの上で送信されているのかを判定する。もし可能であれば、ＵＥはセル間干渉除去を実行することが望ましい。しかし、セカンダリキャリアの上でＳＣＨを受信しない場合には、ＵＥにはセル間干渉除去を実行することがさらに求められる。従って、必ずしも望ましいとだけ言えることではない。一方、セカンダリキャリアの上でＳＣＨが利用可能である場合には、少なくとも、複雑さ、電力、および遅延を低減させて、セル間干渉除去を実行することができる。
【００１０】
必要であり、また本明細書に記述するものは、受信機構成に柔軟性を与え、それによりセカンダリキャリアの上の１つ以上の共通チャネルの可用性に基づいて、適切な受信機構成を使用可能にする技術である。
【課題を解決するための手段】
【００１１】
本出願に記載する技術は、プライマリキャリアおよびセカンダリキャリアを含む複数の無線周波数（ＲＦ）キャリアを含む無線通信に関するものである。無線ノード（例えば、移動無線端末、基地局等）は、複数のＲＦキャリアを受信することができ、第１の無線受信機構成および第２の無線受信機構成を含む。無線ノードは電子回路を含み、この電子回路は、セルの中で共通チャネルがセカンダリキャリアの上で送信されている場合に、そのセカンダリキャリアの上のチャネル情報を受信する第１の無線受信機構成を選定するように構成される。共通チャネルがセカンダリキャリアの上で送信されていない場合には、無線ノードは、セカンダリキャリアの上で第１のチャネル情報を受信するように、第２の無線受信機構成を選定する。本技術は、複数のセカンダリキャリアの受信に対しても適用することができる。
【００１２】
無線ノードは、プライマリキャリアの上で受信した情報を使用して、共通チャネルがセカンダリキャリアの上で送信されているか否かを判定することができる。１つの限定的でない実施例では、無線ノードは、セカンダリキャリアの上でセル探索を実行することにより、共通チャネルがセカンダリキャリアの上で送信されているか否かを判定する。別の限定的でない実施例では、無線ノードは、サービスを提供しているセル（サービングセル／在圏セル）に関連した、プライマリキャリアの上のタイミングおよびチャネル電力情報を使用して、共通チャネルがセカンダリキャリアの上で送信されているか否かを判定する。タイミングは、プライマリキャリアに対するスロットタイミングおよびフレームタイミングを含むことができ、また、チャネル電力情報は、プライマリキャリアの上の共通チャネル電力遅延プロファイルの推定値を含むことができる。共通チャネルが同期チャネルである場合には、各セルの中のプライマリキャリアに対して捕捉したタイミングを使用して、セカンダリキャリアを１つ以上の同期符号と相関を取ることにより、共通チャネルがセカンダリキャリアの上で送信されているか否かの判定を行うことができる。プライマリキャリアとセカンダリキャリアとは、時間軸上に並べて配置されている、すなわち、各基地局におけるそれらの送信タイミングは、同じまたは殆ど同じであるということが仮定されている。時間軸上の配置誤差に対する要求条件は、典型的に事前に規定されている。例えば、ＤＣ−ＨＳＤＰＡ（ダウンリンクの２つの隣接したキャリアを備える）の場合には、２つのキャリアの間の送信タイミング差は、ＴＳ２５．１０４に従えば、１／４Ｔｃ以下であることが要求される。ここで、Ｔｃは１ＷＣＤＭＡチップ（１Ｔｃ≒２６０ｎｓ）の継続時間である。
【００１３】
１つの実施例では、第１の無線受信機構成は、無線受信機がセル間干渉を除去する構成であり、また第２の無線受信機構成は、無線受信機はセル間干渉を除去しない構成である。第１の無線受信機構成および第２の無線受信機構成における無線受信機は、セル内干渉は除去する。セル内干渉は、サービングセルから送信される信号と雑音とによって引き起こされる。
【００１４】
従って、第１の無線受信機構成は、第２の無線受信機構成よりも複雑になる。これは、第１の無線受信機構成は、セル間干渉およびセル内干渉の両方を処理して除去する必要があるからである。
【００１５】
ＷＣＤＭＡシステムに対する１つの限定的でない応用例では、第１の受信機構成は、タイプ３ｉの無線受信機構成であり、第２の受信機構成は、タイプ３の無線受信機構成である。また、第１のチャネルは、高速物理ダウンリンク共有チャネル（ＨＳ−ＰＤＳＣＨ：Ｈｉｇｈ−Ｓｐｅｅｄ  Ｐｈｙｓｉｃａｌ  Ｄｏｗｎｌｉｎｋ  Ｓｈａｒｅｄ  Ｃｈａｎｎｅｌ）であり、共通チャネルは、プライマリ同期チャネルとセカンダリ同期チャネルとを含む。タイプ３ｉの無線受信機構成に対応したＵＥ受信機の動作性能に対する要求条件は、３ＧＰＰ仕様ＴＳ２５．１０１「ユーザ装置（ＵＥ）の無線送信および受信（ＦＤＤ）」の中で、機能強化された（ｅｎｈａｎｃｅｄ）動作性能に対する要求条件タイプ３ｉとして規定されている。タイプ３の無線受信機構成に対応したＵＥ受信機の動作性能に対する要求条件は、３ＧＰＰ仕様ＴＳ２５．１０１の中では、機能強化された動作性能に対する要求条件タイプ３として規定されている。第２の受信機構成の他の例は、タイプ２およびタイプ１の無線受信機構成であり、これらの受信機の動作性能に対する要求条件もまた、ＴＳ２５．１０１の中で規定されている。長期的進化（ＬＴＥ：Ｌｏｎｇ  Ｔｅｒｍ  Ｅｖｏｌｕｔｉｏｎ）システムに対する応用例では、第１のチャネルは、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）等のユーザデータを搬送するチャネル、または物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）として制御情報を搬送するチャネルである。しかしながら、第１のチャネルは、ＵＥが受信する任意のチャネルであってもよい。
【００１６】
本発明はまた、上記に述べた事項に従って、複数の無線周波数キャリアを受信するように適合されたデバイスに拡張することができる。このデバイスは、典型的に、メモリの中に記憶された一組のコンピュータプログラム命令の上で動作する、マイクロコントローラまたはマイクロプロセッサを備えるモジュールの中に実現することができる。これらの命令は、モジュールによって実行されるときには、モジュールを駆動して、上記で記述した方法に従って、電力制御を実行する。
【図面の簡単な説明】
【００１７】
【図１】マルチキャリア通信システムの例を示す図である。
【図２】セル内干渉およびセル間干渉を示すマルチキャリアセルラ通信システムの例を示す図である。
【図３】種々の異なるタイプの干渉除去能力を持つマルチキャリア無線端末の限定的でない例を示す機能ブロック図である。
【図４】セカンダリチャネルの上でチャネル情報を受信する、第１または第２の無線受信機構成を選定するための手順の限定的でない例を示すフローチャートである。
【図５】セカンダリチャネルの上でチャネル情報を受信する、第１または第２の無線受信機構成を選定するための、特定の、しかし限定的ではない実施形態に従った手順の例を示すフローチャートである。
【図６】限定的でない実施例に対する制御プロセッサの例を示す機能ブロック図である。
【図７】図６に示す限定的でない実施例に対する制御プロセッサの別の例を示す機能ブロック図である。
【発明を実施するための形態】
【００１８】
以下の記述では、限定の目的ではなく説明の目的で、記述した技術の理解を与えるために、特定のノード、機能エンティティ、技術、プロトコル、標準規格等の、具体的詳細を記載する。以下で開示する具体的詳細とは異なった他の実施形態を取ることも可能であるということは、当業者には明らかであろう。また、不必要な詳細によって記述を曖昧なものとしないために、公知の方法、デバイス、技術等の詳細な記述は省略してある。個々の機能ブロックは図の中に示されている。当業者は、これらのブロックの機能は、個別のハードウェア回路を使用して、ソフトウェアプログラムおよびデータを、適切にプログラムしたマイクロプロセッサまたは一般目的のコンピュータと連携して使用して、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）を使用して、および／または、１つ以上のディジタル信号プロセッサ（ＤＳＰ）を使用して実現することができると理解するであろう。ソフトウェアプログラム命令およびデータは、コンピュータ読み取り可能な記憶媒体の上に記憶することができ、これらの命令がコンピュータまたは他の適切なプロセッサの制御によって実行されるときに、そのコンピュータまたはプロセッサは、これらの機能を実行する。
【００１９】
本技術は、任意のタイプのセルラ無線通信において使用することができる。記述を容易にするために、移動無線端末という用語は、ユーザ装置（ＵＥ）、ＰＤＡ、セル電話機、ラップトップ等の、任意の種類の無線通信端末／デバイスを包含する。本出願の中に記載する技術は、少なくとも１つの方向で複数のキャリアがサポートされる任意の無線通信システムにおいて使用することができる。１つの限定的でない例は、Ｕｕエアインタフェースを通して１つ以上のユーザ装置（ＵＥ）と通信するＷＣＤＭＡネットワークである。典型的に、１つ以上のコアネットワークは、Ｉｕインタフェースを通してＷＣＤＭＡネットワークの中の無線ネットワーク制御装置（ＲＮＣ：ｒａｄｉｏ  ｎｅｔｗｏｒｋ  ｃｏｎｔｒｏｌｌｅｒ）と通信する。ＷＣＤＭＡの無線アクセスネットワーク（ＲＡＮ：ｒａｄｉｏ  ａｃｃｅｓｓ  ｎｅｔｗｏｒｋ）は、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）地上無線アクセスネットワーク（ＵＴＲＡＮ）とも呼ばれる。ＷＣＤＭＡのＲＡＮは、無線リソース管理およびハンドオーバ制御等の無線アクセス制御に関係する全ての仕事を扱う。コアネットワークは、このアクセスネットワークを１つ以上の外部ネットワーク（公衆交換電話ネットワーク（ＰＳＴＮ：Ｐｕｂｌｉｃ  Ｓｗｉｔｃｈｅｄ  Ｔｅｌｅｐｈｏｎｅ  Ｎｅｔｗｏｒｋ）、インターネット等）に接続する。ユーザ装置は、ＷＣＤＭＡのエアインタフェースを通して１つ以上の無線基地局（ノードＢ）に接続される。１つ以上の基地局は、Ｉｕｂインタフェースを通してＲＮＣに結合し、ＲＮＣは、Ｉｕｒインタフェースを通して相互に通信を行う。
【００２０】
図１は、マルチキャリア通信システムの例を示す。ここでは、基地局１０は、複数のキャリアを使用して、エアインタフェースを通して移動無線端末１２（ＵＥ）と通信している。この例においては、基地局は、アンカーキャリアまたはプライマリキャリア、およびセカンダリキャリアを送信し、移動無線１２は、単一のアップリンクキャリアを送信する。移動無線１２は少なくとも複数のキャリアを受信することができるという意味で、移動無線１２はマルチキャリア無線であるということが理解されるべきである。しかし、移動無線１２はまた、複数のキャリアを使用して送信することができる可能性もある。以下に示す例では、プライマリキャリアおよびセカンダリキャリアが基地局１０から移動無線１２へのダウンリンクで送信されると仮定しているが、本技術はまた、マルチキャリアを送信する移動無線に対するアップリンク方向にも適用することができる。この場合には、基地局は受信機であり、移動機は送信機である。
【００２１】
図１に示す限定的でないＷＣＤＭＡの例においては、ＵＥは、デュアルセルＨＳＤＰＡ（ＤＣ−ＨＳＤＰＡ）動作（技術仕様３ＧＰＰＴＳ２５．２１４リリース８で規定されている）をしており、単一のサービング基地局セクタから同じ周波数帯域の中で送信されたＨＳＤＰＡトラフィックを、２つのダウンリンクキャリア周波数を通して同時に受信することができる。ＤＣ−ＨＳＤＰＡ動作をしているＵＥに対しては、１つのアップリンクキャリアは、２つのダウンリンクキャリアの内の１つに結びつけられてはいない。ＤＣ−ＨＳＤＰＡ動作をしているＵＥでは、アンカーキャリアは、全ての物理チャネルを有し、これらは、下り個別物理チャネル（Ｆ−ＤＰＣＨ：Ｆｏｒｗａｒｄ  Ｄｅｄｉｃａｔｅｄ  Ｐｈｙｓｉｃａｌ  Ｃｈａｎｎｅｌ）、Ｅ−ＤＣＨのＨＡＲＱ確認応答指示子チャネル（Ｅ−ＨＩＣＨ：Ｅ−ＤＣＨ  ＨＡＲＱ  Ａｃｋｎｏｗｌｅｄｇｅｍｅｎｔ  Ｉｎｄｉｃａｔｏｒ  Ｃｈａｎｎｅｌ）、Ｅ−ＤＣＨ絶対グラントチャネル（Ｅ−ＡＧＣＨ：Ｅ−ＤＣＨ  Ａｂｓｏｌｕｔｅ  Ｇｒａｎｔ  Ｃｈａｎｎｅｌ）、および、Ｅ−ＤＣＨ相対グラントチャネル（Ｅ−ＲＧＣＨ：Ｅ−ＤＣＨ  Ｒｅｌａｔｉｖｅ  Ｇｒａｎｔ  Ｃｈａｎｎｅｌ）を含む。ＣＥＬＬ＿ＤＣＨモード動作におけるデュアルキャリア動作の間は、ダウンリンクキャリアの内の１つはセカンダリキャリアであり、１つはプライマリ（またはアンカー）キャリアである。
【００２２】
図２は、マルチキャリアセルラ通信システムの例を示す。この図は、セル内干渉およびセル間干渉を示している。サービングセル１４は、基地局１０を含み、基地局１０は、プライマリキャリアおよびセカンダリキャリアを通して、自分のセルの中の移動端末ＭＴＡおよびＭＴＣに送信を行っている。近隣セル１６もまた、基地局１０を含み、基地局１０は、移動端末ＭＴＢが受信する情報を送信している。しかしこの情報はまた、サービングセル１４の中の無線通信に干渉を与える可能性がある（セル間干渉）。近隣セル１６の中の端末ＭＴＢからの送信もまた、セル間干渉の原因となる可能性がある。サービングセル１４の中の移動端末からのアップリンク送信は、セル内干渉の原因となる。
【００２３】
図３は、異なるタイプの干渉除去能力を持つマルチキャリア無線端末ＵＥ１２の限定的でない例を示す機能ブロック図である。ＵＥ１２は、１つ以上のアンテナ３０を含み、アンテナ３０は、この例における基地局と同様の、別の無線局との間で無線信号の受信および送信を行う。制御プロセッサ２４は、ＵＥ１２の総合的な動作を制御し、ユーザインタフェース回路２８、送信機回路２６、および受信回路２０および２２に接続されている。制御プロセッサ２４は、ある特定の送信局からの信号を受信するために使用されるべきタイプの受信機または受信機構成を、動的または半静的に選定する。ブロック２０は、セル間干渉除去受信機のタイプ／構成を示し、ブロック２２は、セル内干渉除去受信機のタイプ／構成を示す。さらに一般的に、受信回路は、さらに精巧かつ複雑な受信機タイプ／構成、および比較的に精巧でなく複雑でない受信機タイプ／構成を含むことができる。受信回路２０および２２は、１つの受信機の中に（例えば、２つの異なる受信機構成として）、または２つ以上の受信機の中に実装することができる。異なる受信機構成を１つの受信機の中に実装する様式の１つの例は、選定したまたは所望の受信機タイプ／構成に従って、異なる符号化を行ったＤＳＰを使用することである。
【００２４】
ここでは、例示の目的で、ＷＣＤＭＡの状況における、異なる受信機構成の説明を行う。３ＧＰＰのＷＣＤＭＡリリース５では、ＵＥ受信機の動作性能に対する要求条件は、ベースラインの古典的なＲＡＫＥ受信機のみに基づいており、最小の動作性能要求条件としてＴＳ２５．１０１の中で共通に規定されている。３ＧＰＰのＷＣＤＭＡリリース６およびそれ以降のリリースでは、機能強化されたＵＥ受信機の動作性能に対する要求条件もまた、ＴＳ２５．１０１の中で規定されている。これらの機能強化された動作性能に対する要求条件を満足するためには、ＵＥは、高機能の受信機（例えば、受信機ダイバーシティ、チップレベル等化器、および、汎用ＲＡＫＥ受信機（Ｇ−ＲＡＫＥ）または同様の受信機構造を持つ受信機）を具備しなければならない。これらの機能強化によって、達成可能なダウンリンクビットレートを高めることができる。ＷＣＤＭＡにおける用語表現では、種々の高機能受信機に対するＵＥ受信機動作性能要求条件は、機能強化された受信機タイプ１（受信機ダイバーシティ）、機能強化された受信機タイプ２（チップレベル等化器）、機能強化された受信機タイプ３（受信機ダイバーシティおよび等化器の合成）、およびタイプ３ｉ（受信機ダイバーシティおよびセル間干渉除去受信機の合成）として規定されている。受信機動作性能の規定の拡張は、ＵＥ販売業者に対して、規定された拡張要求条件を超える高機能受信機を設備することを排除はしていない。動作性能に対する要求条件の拡張は、ＷＣＤＭＡにおけるＨＳＤＰＡに限定はしていない。拡張要求条件はまた、例えば、多くの受信シナリオ（ＤＣＨ、ＭＢＭＳ、およびＥ−ＤＣＨのダウンリンクチャネル等）に対しても存在する。記述を簡単するために、ここに示した場合では、マルチキャリアＨＳＤＰＡの受信シナリオに焦点を当てている。しかし焦点は限定的なものではなく、本技術の広い範囲の応用に対しても焦点を当てることができる。
【００２５】
背景技術で述べたように、異なるタイプの無線受信機は、異なるタイプの干渉を除去、または少なくとも軽減することによって達成した、異なるレベルの動作性能利得を有する。干渉には種々の原因および形が存在する。例えば、セル内干渉、セル間干渉、ストリーム間干渉等である。例えば、ＷＣＤＭＡ等のＣＤＭＡシステムにおいては、チャネライゼーション符号の間の直交性の欠如によるセル内干渉が一般的である。これは、チャネライゼーション符号がマルチパスフェーディングチャネルを通過するからである。一方で、セル間干渉は、ＣＤＭＡおよびＯＦＤＭＡに基づいたＬＴＥシステム等におけるように、単一または密に再使用するシステムにおいて存在し、典型的には複数の近隣セルから生成される。さらに、ＭＩＭＯ送信は、高いＳＩＮＲを達成するために、２つ以上のデータストリームを使用する。しかし、マルチストリーム送信はまた、ストリーム間干渉を起こすことになる。しかしこれは、適切な受信機を使用すれば、除去または大幅に低減することができる。
【００２６】
機能強化された受信機タイプ３（シンボルレベルの実施形態でのＧ−ＲＡＫＥ２受信機としても知られる）は、セル内干渉を除去して、古典的なＲＡＫＥ受信機よりも大幅に高い動作性能利得を達成することができる。機能強化された受信機タイプ３ｉ（シンボルレベルの実施形態でのＧ−ＲＡＫＥ２＋受信機としても知られる）は、セル内干渉およびセル間干渉の両方を除去して、古典的なＲＡＫＥ受信機よりも大幅に高い動作性能利得を達成することができる。タイプ３ｉの受信機機能を実現するには、いくつかの異なる方法が存在する。２つの方法は、パラメトリック解および非パラメトリック解と呼ばれる。非パラメトリック解は、正味の干渉効果を推定し、セル内干渉とセル間干渉とをまとめて１つのパッケージにして、それらの干渉を同時に低減しようとするものである。一方、パラメトリック解は、干渉を、異なる寄与部分にモデル化しようと試みるものである。パラメトリック解は、抑圧するべき、いくつかの数の干渉セル（理想的には最も強い干渉セル）を検出しなければならない。例えば、ＷＣＤＭＡシステムにおけるＵＥは、最も強い干渉セルの中で使用されているスクランブリング符号を識別し、そして干渉を除去または最小にするために、この情報を使用することもできるであろう。干渉を抑圧するために、ＵＥは、さらに、干渉セルのチャネル応答を動的に推定する必要がある。チャネル応答の推定は、いくつかの方法で行うことができる。１つの例は、電力遅延プロファイル（ＰＤＰ：ｐｏｗｅｒ  ｄｅｌａｙ  ｐｒｏｆｉｌｅ）を個別に推定し、それを使用してそれらのチャネルタップ遅延を判定し、タップ遅延のそれぞれに対する複素重みを個別に推定するものである。
【００２７】
上記の議論は、３ＧＰＰで規定したタイプ３ｉ（パラメトリック）受信機構成の場合に対してであったが、干渉セルから得られたチャネル応答の知識は、多くの他の受信機構造／構成においても使用することもできるであろう。他の受信機構成の限定的でない例は、受信した干渉信号のレプリカを生成することを試みて、それを所望の信号から差し引く受信機を含む。
【００２８】
以下では、スクランブリング符号の同期および識別に関係するＵＥの限定的でない実施例に対して、段階を設定する。単一キャリアＷＣＤＭＡ／ＨＳＰＡにおいては、ダウンリンク共通制御チャネルは、プライマリ同期符号（ＰＳＣ：ｐｒｉｍａｒｙ  ｓｙｎｃｈｒｏｎｉｚａｔｉｏｎ  ｃｏｄｅ）を搬送するプライマリ同期チャネル（Ｐ−ＳＣＨ：ｐｒｉｍａｒｙ  ｓｙｎｃｈｒｏｎｉｚａｔｉｏｎ  ｃｈａｎｎｅｌ）と、セカンダリ同期符号（ＳＳＣ：ｓｅｃｏｎｄａｒｙ  ｓｙｎｃｈｒｏｎｉｚａｔｉｏｎ  ｃｏｄｅ）を搬送するセカンダリ同期チャネル（Ｓ−ＳＣＨ：ｓｅｃｏｎｄａｒｙ  ｓｙｎｃｈｒｏｎｉｚａｔｉｏｎ  ｃｈａｎｎｅｌ）と、スクランブリング符号情報を搬送するプライマリ共通パイロットチャネル（ＣＰＩＣＨ：ｐｒｉｍａｒｙ  ｃｏｍｍｏｎ  ｐｉｌｏｔ  ｃｈａｎｎｅｌ）と、１つのマスタ情報ブロック（ＭＩＢ：ｍａｓｔｅｒ  ｉｎｆｏｒｍａｔｉｏｎ  ｂｌｏｃｋ）および１つ以上のシステム情報ブロック（ＳＩＢ：ｓｙｓｔｅｍ  ｉｎｆｏｒｍａｔｉｏｎ  ｂｌｏｃｋ）を含むシステム情報を搬送するブロードキャストチャネル（ＢＣＨ：ｂｒｏａｄｃａｓｔ  ｃｈａｎｎｅｌ）とを含む。Ｐ−ＳＣＨおよびＳ−ＳＣＨは、ともにＳＣＨチャネルとして知られている。ＬＴＥはまた、ＵＴＲＡＮ／ＷＣＤＭＡ／ＨＳＰＡの中で使用される共通チャネルと同様の共通チャネルを使用する。ＬＴＥにおける共通チャネルは、プライマリ同期信号（ＰＳＳ：ｐｒｉｍａｒｙ  ｓｙｎｃｈｒｏｎｉｚａｔｉｏｎ  ｓｉｇｎａｌ）、セカンダリ同期信号（ＳＳＳ：ｓｅｃｏｎｄａｒｙ  ｓｙｎｃｈｒｏｎｉｚａｔｉｏｎ  ｓｉｇｎａｌ）、基準信号（ＣＰＩＣＨの上のパイロット信号と均等である）、およびブロードキャストチャネルを含む。ブロードキャストチャネルは、ＭＩＢを搬送する物理ブロードキャストチャネル（ＰＢＣＨ：ｐｈｙｓｉｃａｌ  ｂｒｏａｄｃａｓｔ  ｃｈａｎｎｅｌ）とＳＩＢを搬送するＰＤＳＣＨとに分離される。
【００２９】
単一キャリアＷＣＤＭＡにおいては、Ｐ−ＳＣＨおよびＳ−ＳＣＨによって、ＵＥは、スロットタイミングおよびフレームタイミングを判定すること、またそれと共にプライマリスクランブリング符号の限定されたセットを識別することが可能になる。この限定されたセットは、Ｐ−ＳＣＨおよびＳ−ＳＣＨを送信するセルが使用する、特定のプライマリスクランブリング符号を含む。この限定されたセットは、スクランブリング符号グループと呼ばれる。ＣＰＩＣＨは、これを使用して、Ｐ−ＳＣＨおよびＳ−ＳＣＨが指示するスクランブリング符号グループの中に含まれるプライマリスクランブリング符号の内のどれが、識別されるべきセルが使用しているのかを、正確に指示している。これらのプライマリスクランブリング符号は、５１２の可能な物理セルアイデンティティの内の１つを示している。使用するシステム対して、合計で８１９２のスクランブリング符号が利用可能である。このセットは、６４のプライマリスクランブリング符号グループに分割され、各グループは、８つのプライマリスクランブリング符号を含む。各プライマリスクランブリング符号は、１対１のマッピングを通して１５のセカンダリスクランブリング符号に関連づけられる。ＵＥは、初期の同期手順の間、セカンダリスクランブリング符号の探索を行う必要はない。単一キャリアの場合には、サービングセルに対するスロット／フレーム境界の識別およびスクランブリング符号の識別は、段階的手法で行うことができる。段階１では、Ｐ−ＳＣＨを使用してスロット境界を見いだす。段階２では、Ｐ−ＳＣＨおよびＳ−ＳＣＨを使用してフレーム境界およびスクランブリング符号グループを見いだす。ここで、各スクランブリング符号グループは、８つのプライマリスクランブリング符号を含む。段階３では、ＣＰＩＣＨを使用して、段階２において識別したスクランブリング符号グループの中に含まれる８つのプライマリスクランブリング符号の中から最良のプライマリスクランブリング符号候補を判定する。
【００３０】
背景技術の中で記述したように、近隣セルによって引き起こされたセル間干渉を、ＵＥ受信機が除去するためには、各干渉セルからのチャネルインパルス応答が判定されなければならない。ＷＣＤＭＡシステムにおいてＵＥがこれを行うためには、ＵＥは、近隣セルのタイミングとこれら近隣セルの中で使用されているスクランブリング符号を知る必要がある。マルチキャリアＷＣＤＭＡシステムにおいては、アンカーキャリアは、全ての共通チャネルを含む。しかしながら、システムの実施形態によっては、共通制御チャネルの内のいくつかは、セカンダリキャリアの上で送信されていない可能性がある。これは、例えば、セカンダリキャリアから受信したデータの復調をＵＥが行うのを支援するために、セカンダリキャリアの上にはＣＰＩＣＨだけが送信される場合にこのようなことが起こる可能性がある。セカンダリキャリアの上にＳＣＨチャネルが存在しないことによって、セル間干渉除去受信機の複雑さが増加する。これは、ＵＥは、Ｐ−ＳＣＨおよびＳ−ＳＣＨを利用してスロットタイミング、フレームタイミング、およびスクランブリング符号グループを識別することができないからである。
【００３１】
セカンダリキャリアの上に同期信号が存在しない場合には、ＵＥは、広範囲な探索を実行しなければならない（この限定的でない例では、８１９２全てのスクランブリング符号にわたって）。また、近隣セルの中で使用されているスクランブリング符号を判定するために、多くの遅延を仮定しなければならない。これは、ＵＥ電力を浪費し、同期処理を遅らせて、この遅延した処理による動作性能の劣化を招くことになる。
【００３２】
同期信号がセカンダリキャリアの上に存在するか否かを判定する１つの方法は、全ての近隣セルに対して、セカンダリキャリアの上で、典型的なセル探索手順を実行することである。ＵＥは、相関器を使用して、セカンダリキャリアの上で、ＳＣＨチャネルに対して、多くの異なるタイミング／遅延を走査する。相関器が所定の閾値を超える出力を生成する時にだけ、ＳＣＨチャネルはセカンダリキャリアの上で検出される。しかしこのセル探索手法では、全てのスクランブリング符号に対して全ての遅延の相関を取るためには、相当に多くの量の処理するためのリソースが必要になる。
【００３３】
処理するためのリソースの使用量が少ない、限定的でない代替の手法の例を、図５のフローチャートにより説明を行う。マルチキャリアの能力を持つＵＥは、アンカーキャリアの上でサービングセルから、また少なくとも１つのセカンダリキャリアの上でサービングセルから、データを受信する。ＵＥは、アンカーキャリアの上で、サービングセルのスロットタイミング、フレームタイミング、およびスクランブリング符号グループを、それぞれＰ−ＳＣＨチャネル、Ｓ−ＳＣＨチャネル、およびＣＰＩＣＨチャネルから判定する（ステップＳ１０）。ＵＥはまた、ＣＰＩＣＨチャネルから、アンカーキャリアの上の、サービングセルの電力遅延プロファイルを判定する（ステップＳ１２）。スロットタイミングおよびフレームタイミング、およびチャネル電力遅延プロファイルを判定するための具体的詳細は、当業者には公知であり、従って、ここでは、記述を簡単にするために、それらを繰り返さないことにする。ＵＥは、アンカーキャリアの上のサービングセルのタイミングおよび電力遅延プロファイルを使用して、サービングセルのセカンダリキャリアの上の共通チャネル信号（例えば、ＳＣＨ信号）の存在を探索する（ステップＳ１４）。マルチキャリアシステムにおいては、同一の基地局の中のアンカーキャリアおよびセカンダリキャリアの上では、セルは同一のフレームタイミングを有する。さらに、アンカーキャリアおよびセカンダリキャリアは、同じ場所に位置している（すなわち、同じ場所に位置している基地局、または同じサイトに位置している基地局の中にある）かまたは同一の基地局の中に位置しており、従って、受信するタイミングおよびチャネル電力遅延プロファイルは同じであるとＵＥが感ずるであろうということも仮定することができる。実際上の制約条件によって、プライマリキャリアおよびセカンダリキャリアのフレームタイミングの間には若干の位置誤差（例えば、１ＷＣＤＭＡチップより小さい程度の）があり得る。ＤＣ−ＨＳＤＰＡでは、プライマリキャリアおよびセカンダリキャリアの間のフレームタイミングの位置誤差は、１／４Ｔｃ（Ｔｃ＝ＷＣＤＭＡのチップ継続時間、１Ｔｃ≒２６０ｎｓ）である。例えば、サービングセルの上の、セカンダリキャリアに属するＳＣＨに対する探索は、全ての可能なＰＳＣ符号にわたって相関を取ることにより、または、アンカー（またはプライマリ）キャリアの上の電力遅延プロファイルに関するこれまでの知識に基づいて、いずれかの適切な手法を使用することにより、実行することができる。
【００３４】
ＵＥが、共通チャネル信号（例えば、ＳＣＨ信号）は、サービングセルの中でセカンダリキャリアの上で送信されていると判定した場合には、ＵＥは、さらに高機能化した受信機タイプ／構成（ここでは受信機タイプＡとする）をイネーブルし、データおよび／またはシグナリングをセカンダリキャリアの上で受信する（ステップＳ１６）。受信機タイプＡは、例えば、セル間干渉を除去することを試みることができる。上記で述べたように、セカンダリキャリアの上にＳＣＨが存在する場合には、セル間干渉除去受信機の複雑さは、大幅に低減される。これは、ＵＥは、ＳＣＨを利用して、セカンダリキャリアの上で従来通りのセル探索を実行し、最も強い干渉セルを識別することができるからである。また、ＳＣＨがセカンダリキャリアの上に見出されない場合には、ＵＥは、高機能化の程度の低い受信機タイプ／構成（受信機タイプＢとする）をイネーブルする。例えば、受信機タイプＢは、受信機ダイバーシティに基づくこと、および／またはセル内干渉だけを除去する等化器に基づくことができる。
【００３５】
さらに一般的に、ＵＥは、マルチキャリアシステムにおいて、共通チャネルが送信されているか否か（例えば、ＳＣＨが送信されているか否か）に従って、セカンダリキャリアの上の受信を行うために、適切な受信機タイプ／構成を、動的または半動的に適合させる、またはイネーブルする。共通チャネル（例えば、ＳＣＨ）がセカンダリキャリアの上に存在するか否かに関する情報は、ＵＥは、種々のメカニズムによって捕捉することができる。例えば、ＵＥは、同期信号がセカンダリキャリアの上で送信されているか否かに関して、ネットワークによって、または事前に規定されたルールに従って、シグナリングされることができる。
【００３６】
受信機タイプＢよりも高い能力を有する受信機タイプＡの例は、上記で記述した機能強化された受信機タイプ３ｉであり、これはいくつかの数の最も強い近隣セルからのセル間干渉を大幅に除去することができる。この受信機タイプはまた、セル内干渉を除去することもできる。受信機タイプＢの例は、上記で記述した機能強化された受信機タイプ３であり、これは、受信機タイプＡと比較すれば、それ程に複雑でない受信機であり、近隣セルからのセル間干渉は、実質的には除去することができない。しかしながら、受信機タイプＢは、それでも、セル内干渉は除去することができる。   図６は、上記で記述したセル探索手法に基づいた、限定的でない実施例に対する制御プロセッサの例２４を示す機能ブロック図である。制御プロセッサ２４は、受信したセカンダリキャリアをセカンダリキャリアに対するＰＳＣ符号と相関を取るための相関器３０を含む。相関器３０の出力は、セレクタ３２によって閾値と比較され、そして、相関器出力が、セカンダリキャリアの上でＳＣＨを検出したことを示す閾値を超えた場合には、セレクタ３２は、３ｉの受信機タイプ／構成３４を選定する。相関器出力がその閾値を超えない場合には、セレクタ３２は、より精巧でない３の受信機タイプ／構成３６を選定する。
【００３７】
図７は、図５において上記で記述した手法に対する制御プロセッサの別の例を示す機能ブロック図である。制御プロセッサ２４は、解析器３８を含み、解析器３８は、ＣＰＩＣＨを使用して判定したアンカーキャリアのＰＤＰ、および判定したアンカーキャリアのタイミング情報（これらの判定は図５で上記で説明してある）に関連して、受信したセカンダリキャリアを解析する。解析器３８の出力は、セレクタ３２によって使用されて、ＳＣＨがセカンダリキャリアの上で検出された場合には、セレクタ３２は、３ｉの受信機タイプ／構成３４を選定する。ＳＣＨがセカンダリキャリアの上で検出されない場合には、セレクタ３２は、より精巧でない３の受信機タイプ／構成３６を選定する。
【００３８】
以前に述べたように、上記で記述した本技術は、任意の数のキャリアを持つ任意のマルチキャリアシステムに適用可能である。例えば、４つのダウンリンクキャリアを有し、３つのキャリアがセカンダリキャリアであるようなマルチキャリアシステムであってもよいであろう。ＵＥは、本技術を使用して、それぞれのセカンダリキャリアに対して、受信機のタイプ／構成を独立に適合させることができる。無論のことながら、本技術は、ここで具体的に記述したタイプの受信機に限定されるものではない。
【００３９】
要約すれば、本技術によって、無線受信機は、１つ以上の共通チャネルがセカンダリキャリアの上で送信された場合には、それに対応した１つ以上のセカンダリキャリアチャネルの上でデータおよび／または制御情報を受信するために、第１の受信機タイプを使用することができる。そうでない場合には、無線受信機は、１つ以上のセカンダリキャリアチャネルの上でデータおよび／または制御情報を受信するために、第２の受信機タイプを使用する。
【００４０】
ＤＣ−ＨＳＤＰＡ動作に対する、限定的でない１つの具体的な応用例を以下に示す。ＵＥは、セカンダリキャリアの上でＳＣＨチャネルまたは信号（プライマリ同期信号およびセカンダリ同期信号）が送信されている場合には、対応したセカンダリキャリアからＨＳ−ＰＤＳＣＨを受信するために、機能強化された受信機タイプ３ｉ（受信機ダイバーシティを持つセル間干渉除去受信機、例えば、Ｇ−ＲＡＫＥ２＋）を使用する。そうでない場合には、ＵＥは、前記セカンダリキャリアからＨＳ−ＰＤＳＣＨを受信するために、機能強化された受信機タイプ３（受信機ダイバーシティを持つ非セル間干渉除去受信機、例えば、Ｇ−ＲＡＫＥ２）を使用する。これは、ＨＳＤＰＡにおけるＨＳ−ＳＣＣＨのような他のチャネルに対しても拡張することができ、Ｅ−ＵＴＲＡＮシステムまたはＬＴＥシステムの中で使用されるＰＤＳＣＨチャネルまたはＰＤＣＣＨチャネルのような他のチャネルに対しても適用することができる。
【００４１】
セカンダリキャリアが共通チャネル情報（同期信号等）を含むか否かに従って、セカンダリキャリアの上で受信するために、受信機タイプの間を動的に切り替えることにより、多くの利益がもたらされる。これらの例としては、以下のものが含まれる。
【００４２】
Ａ−平均としてシステムスループットが増加する。例えば、全ての共通チャネルが送信された場合には、セル間干渉が実行される。
【００４３】
Ｂ−特別に余分なシグナリングオーバヘッドに対する要求条件がない。
【００４４】
Ｃ−セル間干渉除去の操作を行うために近隣セルリストを生成するネットワーク計画に対する要求条件がない。
【００４５】
Ｄ−より電力効率のよいＵＥが実現される。
【００４６】
これまで種々の実施形態を示し、詳細に記述してきたが、特許請求の範囲は、いずれの特定の実施形態または事例に限定されるものではない。上記の記述は、いずれの特定の要素、ステップ、範囲、または機能も、必須であって、それらは特許請求の範囲に含まれるべきであることを意味すると判読されるべきではない。特許されるべき主題の範囲は、特許請求の範囲によってのみ画定される。法的保護の範囲は、許可された特許請求の範囲およびその均等物の中に記載された文言によって画定される。通常の当業者に知られている、上記で記述した好適な実施形態の要素に対する全ての構造的均等物および機能的均等物は、本特許請求の範囲が包含すると意図される。さらに、デバイスまたは方法は、記載した本技術が解決しようとしているそれぞれおよび全ての課題に対して関与する必要はなく、本特許請求の範囲によって包含されるべきものである。さらに、本明細書における、いずれの実施形態、特徴、要素、またはステップも、その実施形態、特徴、要素、またはステップが特許請求の範囲の中で記載されているか否かに拘わらず、公衆に解放される（ｄｅｄｉｃａｔｅｄ  ｔｏ  ｔｈｅ  ｐｕｂｌｉｃ）ことを意図するものではない。
【図１】
0005624135.tif 000002
【図２】
0005624135.tif 000003
【図３】
0005624135.tif 000004
【図４】
0005624135.tif 000005
【図５】
0005624135.tif 000006
【図６】
0005624135.tif 000007
【図７】
0005624135.tif 000008